(57)【要約】【課題】ＲＩＰ工程でのミスを低減するレイアウトチェックプログラムおよび記録媒体を提供する。【解決手段】原稿のレイアウトファイルを取り込む処理と、レイアウトファイルがＥＰＳファイルであるかを判別する処理と、レイアウトファイルがＥＰＳファイルである場合に、画像に応じて、チェックを行う解像度を指定する処理と、レイアウトファイルについて各項目をチェックする処理と、項目チェック処理により得られた異常個所の位置をＲＩＰ処理後の画像データ上に表示する処理と、項目チェック処理を行ったレイアウトファイルを、ＥＰＳファイルとして出力する処理と、レイアウトファイルについて、３００ｄｐｉの解像度でプレビューを作成する処理と、レイアウトファイルのＥＰＳデータ内に格納されているＥＤＩ情報を、再出力されるＥＰＳファイルにそのまま格納する処理とを行う。【選択図】        図１
2004341568.tif 000002
【特許請求の範囲】
【請求項１】
ＲＩＰ処理が行われる前に、印刷機で印刷される原稿のレイアウトのチェックをコンピュータに実行させるためのレイアウトチェックプログラムであって、
前記コンピュータの外部入出力ストレージから前記原稿のレイアウトファイルを取り込むレイアウト取得処理と、
前記レイアウトファイルがＥＰＳファイルであるかをヘッダコメントから判別するファイル判別処理と、
前記レイアウトファイルがＥＰＳファイルである場合に、前記レイアウトファイルの画像に応じて、チェックを行う解像度を指定する検出解像度指定処理と、
前記レイアウトファイルについて、各項目をチェックする項目チェック処理と、
前記項目チェック処理により得られた異常個所の位置をＲＩＰ処理後の画像データ上に表示する異常個所表示処理と、
前記項目チェック処理を行った前記レイアウトファイルを、再度ＥＰＳファイルとして出力するＥＰＳファイル再出力処理と、
前記レイアウトファイルについて、３００ｄｐｉの解像度でプレビューを作成するプレビュー作成処理と、
前記レイアウトファイルのＥＰＳデータ内に格納されているＥＤＩ情報を、再出力される前記ＥＰＳファイルにそのまま格納するＥＤＩ情報格納処理と、
をコンピュータに実行させるためのレイアウトチェックプログラム。
【請求項２】
前記項目は、文法エラー検出、ＩＣＣプロファイル検出、スクリーンパラメータ検出、保存形式およびバージョン検出、画像使用状況検出、グレースケール以外の画像検出、画像トリミング、使用色検出、不可視オブジェクトおよびロック検出、不要オブジェクト検出、孤立点検出、濃度指定検出、パスの解像度検出、レイアウトサイズ検出、ＢｏｕｎｄｉｎｇＢｏｘ  関連項目、墨ノセ検出、ファイル名およびフォルダ名検出、
のうち少なくとも１つから構成されることを特徴とする請求項１記載のレイアウトチェックプログラム。
【請求項３】
前記文法エラー検出は、レイアウト作成アプリケーションで作成されたレイアウトデータの文法チェックを行い、文法エラーが存在した場合、テキストログを出力することをコンピュータに実行させる請求項２記載のレイアウトチェックプログラム。
【請求項４】
前記ＩＣＣプロファイル検出は、レイアウトファイル上に配置された、または埋め込まれた画像データに設定されたＩＣＣプロファイルの検出を行い、前記ＩＣＣプロファイルが検出された場合、ＲＩＰ後の画像に位置を指示し、テキストログを出力することをコンピュータに実行させる請求項２記載のレイアウトチェックプログラム。
【請求項５】
前記スクリーンパラメータ検出は、レイアウトファイル上に配置された、または埋め込まれた画像データに設定されたスクリーンパラメータの検出を行い、スクリーンパラメータが存在した場合には、ＲＩＰ後の画像を表示し、その内容を含めてテキストログとして出力することをコンピュータに実行させる請求項２記載のレイアウトチェックプログラム。
【請求項６】
前記保存形式およびバージョン検出は、レイアウトデータの保存形式および制作ソフトのサブバージョンの検出を行い、前記レイアウトデータ保存時の保存バージョンおよびＰｏｓｔＳｃｒｉｐｔＬｅｖｅｌ  の検出テキストログとして出力することをコンピュータに実行させる請求項２記載のレイアウトチェックプログラム。
【請求項７】
前記画像使用状況検出は、レイアウトファイル上の配置データのリンク状況および更新状況を検出し、前記レイアウトファイル上の前記配置データが論理的に貼り込まれているのか、または前記レイアウトファイル内に埋め込まれているかを検出することをコンピュータに実行させる請求項２記載のレイアウトチェックプログラム。
【請求項８】
前記グレースケール以外の画像検出は、モノクロ紙面のレイアウトの場合、レイアウトファイル上に配置された、または埋め込まれた画像データがグレースケール以外である画像を検出し、前記グレースケール以外の画像が存在する場合、ＲＩＰ後の画像上にその位置を指示し、テキストログとして出力することをコンピュータに実行させる請求項２記載のレイアウトチェックプログラム。
【請求項９】
前記画像のトリミングは、レイアウトファイル上のトリミングされている画像データの縦横サイズの検出を行い、設定パラメータの縦横サイズ範囲を超えている画像が存在する場合、ＲＩＰ後の画像上にその位置を指示し、テキストログとして出力することをコンピュータに実行させる請求項２記載のレイアウトチェックプログラム。
【請求項１０】
前記使用色検出は、レイアウトファイル上の各オブジェクトに対し、色の使用状況を検出し、カスタムカラー、スポットカラー、およびＲＧＢカラーのうち少なくとも１つがレイアウトデータ内に存在するかを検出し、仕様と整合性が無い指定が存在した場合、ＲＩＰ後の画像上にその位置を指示し、テキストログを出力することをコンピュータに実行させる請求項２記載のレイアウトチェックプログラム。
【請求項１１】
前記不可視オブジェクトおよびロック検出は、レイアウトソフトのレイヤーパレットのロックおよび非表示の設定検出を行い、違法設定が存在した場合、テキストログとして出力することをコンピュータに実行させる請求項２記載のレイアウトチェックプログラム。
【請求項１２】
前記不要オブジェクト検出は、レイアウトファイル外に不要なオブジェクトが存在するかを検出し、前記不要オブジェクトが存在した場合、ＲＩＰ後の画像にその位置を指示し、テキストログを出力することをコンピュータに実行させる請求項２記載のレイアウトチェックプログラム。
【請求項１３】
前記孤立点検出は、レイアウトファイル上の孤立点の有無を検出し、孤立点を検出した場合、ＲＩＰ後の画像上にその位置を指示し、テキストログを出力することをコンピュータに実行させる請求項２記載のレイアウトチェックプログラム。
【請求項１４】
前記濃度指定検出は、指定した濃度を超える図形を検出し、前記面積比を検出し、指定パラメータ以上の濃度が存在した場合、ＲＩＰ後の画像上にその位置を指示し、前記面積比をテキストログとして出力することをコンピュータに実行させる請求項２記載のレイアウトチェックプログラム。
【請求項１５】
前記パスの解像度検出は、パスの解像度より低い解像度指定を受けたオブジェクトを検出し、違法解像度のオブジェクトが存在した場合、ＲＩＰ後の画像上にその位置を表示し、テキストログとして出力することをコンピュータに実行させる請求項２記載のレイアウトチェックプログラム。
【請求項１６】
前記レイアウトサイズ検出は、レイアウトデータのレイアウトサイズを検出し、ログファイルに出力することをコンピュータに実行させる請求項２記載のレイアウトチェックプログラム。
【請求項１７】
前記ＢｏｕｎｄｉｎｇＢｏｘ  関連項目は、ドローソフトで枠罫を作成する際、罫線の中心を通過する、実際のサイズと異なる線をテキストログとして出力することをコンピュータに実行させる請求項２記載のレイアウトチェックプログラム。
【請求項１８】
前記墨ノセ検出は、オーバープリント指定個所の検出をし、平アミの墨ノセ文字のヌキ、および平アミ上に存在する他の平アミに対するノセ指示の有無を検出し、前記オーバープリント指定個所が存在した場合、ＲＩＰ後の画像にその位置を指示し、テキストログを出力することをコンピュータに実行させる請求項２記載のレイアウトチェックプログラム。
【請求項１９】
前記ファイル名およびフォルダ名検出は、２Ｂｙｔｅコードや特殊記号が使用されている、ファイル名およびフォルダ名を検出し、規定違反の場合、テキストログとして出力することをコンピュータに実行させる請求項２記載のレイアウトチェックプログラム。
【請求項２０】
請求項１から１９のいずれか１項に記載のレイアウトチェックをコンピュータに実行させるためのプログラムを記録した記録媒体。
【発明の詳細な説明】
【０００１】
【発明の属する技術分野】
本発明は、デジタル印刷におけるＲＩＰ工程前のレイアウトチェックプログラムおよび記録媒体に関する。
【０００２】
【従来の技術】
これまで原稿の品質管理は各製版会社、広告会社、新聞社間で独自に行ってきたが、広告出稿量の増大等により、その作業が猥雑化し、業界統一のＲＩＰ前チェック機能が求められていた。
【０００３】
従来技術例として、製版機構と刷版機構とが互いに独立している場合でも、フィルム原盤を用いることなく、刷版機構内でデジタルデータ処理により容易に殖版処理を行うことができる「デジタル殖版装置及びデジタル印刷システム」がある（例えば、特許文献１参照）。また、デジタル印刷機による印刷の際に、アクセサリ付き印刷イメージにおける配置やそれと印刷用紙との位置関係等を事前に容易に確認できる「デジタル印刷機用コントローラ及びそれを用いた印刷レイアウト確認方法」がある（例えば、特許文献２参照）。
【０００４】
【特許文献１】
特開２００１−２４６７２１号公報
【特許文献２】
特開２００２−３５１６４８号公報
【０００５】
【発明が解決しようとする課題】
しかしながら、コンピュータネットワークによる製造環境の昨今の変化は、効率性を高めたものの、不充分なプリプレスプルーフィングやＲＩＰへの印刷を待つ作業端末の混雑といった問題の原因になっている場合もある。最近の傾向として、従来なら分版に焼き付けていたプリプレスはＣＴＰ（ｃｏｍｐｕｔｅｒ−ｔｏ−ｐｌａｔｅ  ）処理されるようになり、フィルムを点検して土壇場に校正処理できる機会は失われつつある。誤ったポストスクリプトデータが無効な分版を作成してしまっていると、結果としてかなりの時間の無駄となる。プルーフィングシステムはこの欠点に着目して造られたが、部分的にしか成功していない。アプリケーションファイルしかスキャンしない場合、エラーは発見される前に最終ＲＩＰに送られてしまう。そうなると、締めきりまでに処理が間に合わなくなる可能性もでて来る。その他のＲＩＰでは、合成／単版の校正刷り、ノックアウトの検出ミス、ＲＧＢ画像において、ポストスクリプトの解釈の矛盾などが起こり得る。フロントエンドレベルでは、使用できる出力デバイスを待つ間に印刷ジョブの氾濫でネットワークが非常に混雑してしまい、作業端末のオペレータが端末を使用できるようになるまでに、かなりの待ち時間を強いられてしまうことが挙げられる。
【０００６】
本発明は、上記事情に鑑みてなされたものであり、最終ＲＩＰ工程の前に数々のチェックを行う事でＲＩＰ工程でのミスを低減するレイアウトチェックプログラムおよび記録媒体を提供することを目的とする。
【０００７】
【課題を解決するための手段】
かかる目的を達成するために、請求項１記載のレイアウトチェックプログラムは、ＲＩＰ処理が行われる前に、印刷機で印刷される原稿のレイアウトのチェックをコンピュータに実行させるためのレイアウトチェックプログラムであって、コンピュータの外部入出力ストレージから原稿のレイアウトファイルを取り込むレイアウト取得処理と、レイアウトファイルがＥＰＳファイルであるかをヘッダコメントから判別するファイル判別処理と、レイアウトファイルがＥＰＳファイルである場合に、レイアウトファイルの画像に応じて、チェックを行う解像度を指定する検出解像度指定処理と、レイアウトファイルについて、各項目をチェックする項目チェック処理と、項目チェック処理により得られた異常個所の位置をＲＩＰ処理後の画像データ上に表示する異常個所表示処理と、項目チェック処理を行ったレイアウトファイルを、再度ＥＰＳファイルとして出力するＥＰＳファイル再出力処理と、レイアウトファイルについて、３００ｄｐｉの解像度でプレビューイメージを作成するプレビュー作成処理と、レイアウトファイルのＥＰＳデータ内に格納されているＥＤＩ情報を、再出力されるＥＰＳファイルにそのまま格納するＥＤＩ情報格納処理とをコンピュータに実行させることを特徴とする。
【０００８】
請求項２記載のレイアウトチェックプログラムは、請求項１記載のレイアウトチェックプログラムにおいて、項目は、文法エラー検出、ＩＣＣプロファイル検出、スクリーンパラメータ検出、保存形式およびバージョン検出、画像使用状況検出、グレースケール以外の画像検出、画像トリミング、使用色検出、不可視オブジェクトおよびロック検出、不要オブジェクト検出、孤立点検出、濃度指定検出、パスの解像度検出、レイアウトサイズ検出、ＢｏｕｎｄｉｎｇＢｏｘ  関連項目、墨ノセ検出、ファイル名およびフォルダ名検出のうち少なくとも１つから構成されることを特徴とする。
【０００９】
請求項３記載のレイアウトチェックプログラムは、請求項２記載のレイアウトチェックプログラムにおいて、文法エラー検出は、レイアウト作成アプリケーションで作成されたレイアウトデータの文法チェックを行い、文法エラーが存在した場合、テキストログを出力することをコンピュータに実行させることを特徴とする。
【００１０】
請求項４記載のレイアウトチェックプログラムは、請求項２記載のレイアウトチェックプログラムにおいて、ＩＣＣプロファイル検出は、レイアウトファイル上に配置された、または埋め込まれた画像データに設定されたＩＣＣプロファイルの検出を行い、ＩＣＣプロファイルが検出された場合、ＲＩＰ後の画像に位置を指示し、テキストログを出力することをコンピュータに実行させることを特徴とする。
【００１１】
請求項５記載のレイアウトチェックプログラムは、請求項２記載のレイアウトチェックプログラムにおいて、スクリーンパラメータ検出は、レイアウトファイル上に配置された、または埋め込まれた画像データに設定されたスクリーンパラメータの検出を行い、スクリーンパラメータが存在した場合には、ＲＩＰ後の画像を表示し、その内容を含めてテキストログとして出力することをコンピュータに実行させることを特徴とする。
【００１２】
請求項６載のレイアウトチェックプログラムは、請求項２記載のレイアウトチェックプログラムにおいて、保存形式およびバージョン検出は、レイアウトデータの保存形式および制作ソフトのサブバージョンの検出を行い、レイアウトデータ保存時の保存バージョンおよびＰｏｓｔＳｃｒｉｐｔＬｅｖｅｌ  の検出テキストログとして出力することをコンピュータに実行させることを特徴とする。
【００１３】
請求項７記載のレイアウトチェックプログラムは、請求項２記載のレイアウトチェックプログラムにおいて、画像使用状況検出は、レイアウトファイル上の配置データのリンク状況および更新状況を検出し、レイアウトファイル上の配置データが論理的に貼り込まれているのか、またはレイアウトファイル内に埋め込まれているかを検出することをコンピュータに実行させることを特徴とする。
【００１４】
請求項８記載のレイアウトチェックプログラムは、請求項２記載のレイアウトチェックプログラムにおいて、グレースケール以外の画像検出は、モノクロ紙面のレイアウトの場合、レイアウトファイル上に配置された、または埋め込まれた画像データがグレースケール以外である画像を検出し、グレースケール以外の画像が存在する場合、ＲＩＰ後の画像上にその位置を指示し、テキストログとして出力することをコンピュータに実行させることを特徴とする。
【００１５】
請求項９記載のレイアウトチェックプログラムは、請求項２記載のレイアウトチェックプログラムにおいて、画像のトリミングは、レイアウトファイル上のトリミングされている画像データの縦横サイズの検出を行い、設定パラメータの縦横サイズ範囲を超えている画像が存在する場合、ＲＩＰ後の画像上にその位置を指示し、テキストログとして出力することをコンピュータに実行させることを特徴とする。
【００１６】
請求項１０記載のレイアウトチェックプログラムは、請求項２記載のレイアウトチェックプログラムにおいて、使用色検出は、レイアウトファイル上の各オブジェクトに対し、色の使用状況を検出し、カスタムカラー、スポットカラー、およびＲＧＢカラーのうち少なくとも１つがレイアウトデータ内に存在するかを検出し、仕様と整合性が無い指定が存在した場合、ＲＩＰ後の画像上にその位置を指示し、テキストログを出力することをコンピュータに実行させることを特徴とする。
【００１７】
請求項１１記載のレイアウトチェックプログラムは、請求項２記載のレイアウトチェックプログラムにおいて、不可視オブジェクトおよびロック検出は、レイアウトソフトのレイヤーパレットのロックおよび非表示の設定検出を行い、違法設定が存在した場合、テキストログとして出力することをコンピュータに実行させることを特徴とする。
【００１８】
請求項１２記載のレイアウトチェックプログラムは、請求項２記載のレイアウトチェックプログラムにおいて、不要オブジェクト検出は、レイアウトファイル外に不要なオブジェクトが存在するかを検出し、不要オブジェクトが存在した場合、ＲＩＰ後の画像にその位置を指示し、テキストログを出力することをコンピュータに実行させることを特徴とする。
【００１９】
請求項１３記載のレイアウトチェックプログラムは、請求項２記載のレイアウトチェックプログラムにおいて、孤立点検出は、レイアウトファイル上の孤立点の有無を検出し、孤立点を検出した場合、ＲＩＰ後の画像上にその位置を指示し、テキストログを出力することをコンピュータに実行させることを特徴とする。
【００２０】
請求項１４記載のレイアウトチェックプログラムは、請求項２記載のレイアウトチェックプログラムにおいて、濃度指定検出は、指定した濃度を超える図形を検出し、面積比を検出し、指定パラメータ以上の濃度が存在した場合、ＲＩＰ後の画像上にその位置を指示し、面積比をテキストログとして出力することをコンピュータに実行させることを特徴とする。
【００２１】
請求項１５記載のレイアウトチェックプログラムは、請求項２記載のレイアウトチェックプログラムにおいて、パスの解像度検出は、パスの解像度より低い解像度指定を受けたオブジェクトを検出し、違法解像度のオブジェクトが存在した場合、ＲＩＰ後の画像上にその位置を表示し、テキストログとして出力することをコンピュータに実行させることを特徴とする。
【００２２】
請求項１６記載のレイアウトチェックプログラムは、請求項２記載のレイアウトチェックプログラムにおいて、レイアウトサイズ検出は、レイアウトデータのレイアウトサイズを検出し、ログファイルに出力することをコンピュータに実行させることを特徴とする。
【００２３】
請求項１７記載のレイアウトチェックプログラムは、請求項２記載のレイアウトチェックプログラムにおいて、ＢｏｕｎｄｉｎｇＢｏｘ  関連項目は、ドローソフトで枠罫を作成する際、罫線の中心を通過する、実際のサイズと異なる線をテキストログとして出力することをコンピュータに実行させることを特徴とする。
【００２４】
請求項１８記載のレイアウトチェックプログラムは、請求項２記載のレイアウトチェックプログラムにおいて、墨ノセ検出は、オーバープリント指定個所の検出をし、平アミの墨ノセ文字のヌキ、および平アミ上に存在する他の平アミに対するノセ指示の有無を検出し、オーバープリント指定個所が存在した場合、ＲＩＰ後の画像にその位置を指示し、テキストログを出力することをコンピュータに実行させることを特徴とする。
【００２５】
請求項１９記載のレイアウトチェックプログラムは、請求項２記載のレイアウトチェックプログラムにおいて、ファイル名およびフォルダ名検出は、２Ｂｙｔｅコードや特殊記号が使用されている、ファイル名およびフォルダ名を検出し、規定違反の場合、テキストログとして出力することをコンピュータに実行させることを特徴とする。
【００２６】
請求項２０記載の記録媒体は、請求項１から１９のいずれか１項に記載のレイアウトチェックプログラムをコンピュータに実行させることを特徴とする。
【００２７】
【発明の実施の形態】
以下、本発明の実施の形態について添付図面を参照にして詳細に説明する。
【００２８】
本発明の実施例の構成について説明する。本実施例は、Ｗｉｎｄｏｗｓ（登録商標）ＮＴ、Ｗｉｎｄｏｗｓ（登録商標）２０００をインストールし、外部入出力ストレージを持ったＰＣ−ＡＴ機にＲＩＰ工程前のレイアウトチェックプログラムを実装したものを含む。
【００２９】
次に、実施例の動作について図１を参照して説明する。まず、広告原稿を、コンピュータの外部入出力ストレージを経てシステムに取り込む（Ｓ１）。ヘッダコメントからチェック対象ファイルがＥＰＳであるかどうかを確認する（Ｓ２）。原稿のレイアウトファイルがＥＰＳ形式である場合は（Ｓ２／ＹＥＳ）、チェックを行い、ＥＰＳ形式でない場合はチェックを行わない（Ｓ２／ＮＯ）。取り込まれた原稿の画像データが、モノクロ２値画像の場合と多値画像の場合とで、別々に検出解像度を指定することができる（Ｓ３）。
【００３０】
次に、取り込まれた原稿のレイアウトファイルおよびレイアウトデータについて、チェックする各項目について説明する。
【００３１】
文法エラー検出について説明する。レイアウト作成アプリケーションまたは各種レイアウト作成ソフトで作成されたＥＰＳに対して、プログラムレベルでのレイアウトデータの文法チェックを行う。文法上のエラーが検出された場合は、エラー内容を出力する。文法エラーが存在した場合は、テキストログとして出力を行う。
【００３２】
ＩＣＣプロファイル検出について説明する。レイアウトファイル上に配置または埋め込まれた画像データに設定されたＩＣＣプロファイルの検出ＩＣＣプロファイルが検出された場合、ＲＩＰ後の画像で位置を指示並びにテキストログを出力する。
【００３３】
スクリーンパラメータの検出について説明する。レイアウトファイル上に配置または埋め込まれた画像データに設定されたスクリーンパラメータの検出を行う。スクリーンパラメータが存在した場合には、ＲＩＰ後の画像を表示並びにその内容を含めてテキストログとして出力する。
【００３４】
保存形式、制作ソフトのバージョン検出について説明する。レイアウトデータの保存形式並びに制作ソフトのサブバージョンの検出を行う。レイアウトデータ保存時の保存バージョン（Ｉｌｌｕｓｔｒａｔｏｒ８．０（登録商標）での５．０／５．５  保存など）及びＰｏｓｔＳｃｒｉｐｔＬｅｖｅｌ  の検出テキストログとして出力する。
【００３５】
画像使用状況の検出について説明する。レイアウト上の配置データのリンク状況並びに更新状況を検出する。レイアウト上に配置されているデータが論理的に貼り込まれているのか、又はレイアウトファイル内に埋め込まれているかを検出する。
【００３６】
グレースケール以外の画像検出について説明する。モノクロ紙面のレイアウトの場合、レイアウト上に配置または埋め込みされている画像データがグレースケール以外のものを検出する。グレースケール以外の画像が存在する場合は、ＲＩＰ後の画像上にその位置を指示並びにテキストログとして出力する。
【００３７】
画像のトリミングについて説明する。レイアウト上のトリミングされている画像データの縦横サイズの検出を行う。設定パラメータの縦横サイズ範囲を超えている画像が存在する場合は、ＲＩＰ後の画像上でその位置を指示並びにテキストログとして出力する。
【００３８】
使用色の検出について説明する。レイアウトの各オブジェクトに対し、色の使用状況を検出。カスタムカラー、スポットカラー、ＲＧＢカラー等がレイアウトデータ内に存在するかを検出仕様と整合性が無い指定が存在した場合、ＲＩＰ後の画像上でその位置を指示並びにテキストログを出力する。
【００３９】
不可視オブジェクトとロックの検出について説明する。レイアウトソフトのレイヤーパレットのロック、非表示の設定検出を行う。違法設定が存在した場合にはテキストログとして出力する。
【００４０】
不要オブジェクトの検出について説明する。レイアウト外に不要なオブジェクトが存在するかを検出する。不要オブジェクトが存在した場合は、ＲＩＰ後の画像でその位置を指示ならびにテキストログを出力する。
【００４１】
孤立点検出について説明する。レイアウト上の孤立点の有無を検出する。孤立店を検出した場合にはＲＩＰ後の画像上でその位置を指示並びにテキストログを出力する。
【００４２】
指定色濃度以上の濃度指定を検出について説明する。指定した濃度を超える図形を検出し、その面積比を検出する。指定パラメータ以上の濃度が存在した場合、ＲＩＰ後の画像上でその位置を指示し、さらに面積比をテキストログとして出力する。
【００４３】
パスの解像度検出について説明する。指定したパスの解像度より低い解像度指定を受けたオブジェクトを検出する。違法解像度のオブジェクトが存在した場合ＲＩＰ後の画像上でその位置を表示並びに暦ストログとして出力する。
【００４４】
レイアウトサイズの検出について説明する。レイアウトデータのレイアウトサイズを検出し、ログファイルに出力する。
【００４５】
ＢｏｕｎｄｉｎｇＢｏｘ  関連項目について説明する。例えば、ドローソフトとして一般的なＩｌｌｕｓｔｒａｔｏｒ  （登録商標）で枠罫を作成するとＢｏｕｎｄｉｎｇＢｏｘ  は罫線の中心を通過する線となるため、実際のサイズと異なる。これをテキストログとして出力する。
【００４６】
墨ノセ検出について説明する。オーバープリント指定個所の検出、平アミの墨ノセ文字のヌキおよび平アミ上に存在するほかの平アミに対するノセ指示の有無を検出する。オーバープリント指定個所が存在した場合に、ＲＩＰ後の画像でその位置を指示並びにテキストログを出力する。
【００４７】
ファイル名／フォルダ名の検出について説明する。２Ｂｙｔｅコードや特殊記号がファイル名ならびにフォルダ名に使用されていた場合これを検出する。規定違反の場合にはテキストログとして出力する。
【００４８】
上記各項目の自動検出で存在する違法個所は、ＲＩＰ後の画像データ上で位置が表示される（Ｓ５）。検出結果はディスプレイ上に表示され、運用者はその表示を確認し、原稿がその後の工程に送る品質を備えているかどうかを判断する。各種チェックを実行されたレイアウトファイルは、再度ＥＰＳ形式のファイルとしてデータ出力される（Ｓ６）。３００ｄｐｉ解像度のプレビューイメージ（ゲラ）を作成する（Ｓ７）。ＥＰＳデータ内に事前に格納されているＥＤＩ情報は、出力されるＥＰＳファイルにそのまま格納される（Ｓ８）。
【００４９】
以上のように、本発明のレイアウトチェックプログラムは、最終ＲＩＰ工程前に、各種レイアウト作成ソフトで作成されたＥＰＳ形式のファイルに対し、上記各項目において問題個所の検出を自動的に行い、ＲＩＰ後に検出結果として、問題個所の位置および内容を画像データ上に表示する。
【００５０】
よって、本発明の実施形態によれば、上記チェックを実施することによって、まず広告原稿のどの部分に不具合が含まれているか瞬時に判断することが可能になり、原稿の修正も容易になる。また、このチェックを正常に受けた原稿はほぼどの新聞社の紙面制作システムに取りこまれても問題なく処理が可能な原稿と判断でき、各新聞社に複数の広告原稿を作成する必要がなくなる。新聞社側はこのチェックを受けた原稿を受け取ることによって、その後の社内ＲＩＰ処理で障害を回避することができる。
【００５１】
【発明の効果】
請求項１記載のレイアウトチェックプログラムによれば、ＲＩＰ処理が行われる前に、印刷機で印刷される原稿のレイアウトのチェックをコンピュータに実行させるためのレイアウトチェックプログラムであって、コンピュータの外部入出力ストレージから原稿のレイアウトファイルを取り込むレイアウト取得処理と、レイアウトファイルがＥＰＳファイルであるかをヘッダコメントから判別するファイル判別処理と、レイアウトファイルがＥＰＳファイルである場合に、レイアウトファイルの画像に応じて、チェックを行う解像度を指定する検出解像度指定処理と、レイアウトファイルについて、各項目をチェックする項目チェック処理と、項目チェック処理により得られた異常個所の位置をＲＩＰ処理後の画像データ上に表示する異常個所表示処理と、項目チェック処理を行ったレイアウトファイルを、再度ＥＰＳファイルとして出力するＥＰＳファイル再出力処理と、レイアウトファイルについて、３００ｄｐｉの解像度でプレビューイメージを作成するプレビュー作成処理と、レイアウトファイルのＥＰＳデータ内に格納されているＥＤＩ情報を、再出力されるＥＰＳファイルにそのまま格納するＥＤＩ情報格納処理とをコンピュータに実行させることを特徴とするので、広告原稿のどの部分に不具合が含まれているか瞬時に判断することが可能になり、原稿の修正も容易になる。また、レイアウトチェックを正常に受けた原稿は、どの新聞社の紙面制作システムに取りこまれても問題なく処理が可能な原稿と判断でき、各新聞社に複数の広告原稿を作成する必要がなくなる。新聞社側はこのチェックを受けた原稿を受け取ることによって、その後の社内ＲＩＰ処理で障害を回避することができる。
【００５２】
請求項２記載のレイアウトチェックプログラムによれば、請求項１記載のレイアウトチェックプログラムにおいて、項目は、文法エラー検出、ＩＣＣプロファイル検出、スクリーンパラメータ検出、保存形式およびバージョン検出、画像使用状況検出、グレースケール以外の画像検出、画像トリミング、使用色検出、不可視オブジェクトおよびロック検出、不要オブジェクト検出、孤立点検出、濃度指定検出、パスの解像度検出、レイアウトサイズ検出、ＢｏｕｎｄｉｎｇＢｏｘ  関連項目、墨ノセ検出、ファイル名およびフォルダ名検出のうち少なくとも１つから構成されることを特徴とするので、広告原稿のどの部分に不具合が含まれているか瞬時に判断することが可能になり、原稿の修正も容易になる。
【００５３】
請求項３記載のレイアウトチェックプログラムによれば、請求項２記載のレイアウトチェックプログラムにおいて、文法エラー検出は、レイアウト作成アプリケーションで作成されたレイアウトデータの文法チェックを行い、文法エラーが存在した場合、テキストログを出力することをコンピュータに実行させることを特徴とするので、広告原稿のどの部分に不具合が含まれているか瞬時に判断することが可能になり、原稿の修正も容易になる。
【００５４】
請求項４記載のレイアウトチェックプログラムによれば、請求項２記載のレイアウトチェックプログラムにおいて、ＩＣＣプロファイル検出は、レイアウトファイル上に配置された、または埋め込まれた画像データに設定されたＩＣＣプロファイルの検出を行い、ＩＣＣプロファイルが検出された場合、ＲＩＰ後の画像に位置を指示し、テキストログを出力することをコンピュータに実行させることを特徴とするので、広告原稿のどの部分に不具合が含まれているか瞬時に判断することが可能になり、原稿の修正も容易になる。
【００５５】
請求項５記載のレイアウトチェックプログラムによれば、請求項２記載のレイアウトチェックプログラムにおいて、スクリーンパラメータ検出は、レイアウトファイル上に配置された、または埋め込まれた画像データに設定されたスクリーンパラメータの検出を行い、スクリーンパラメータが存在した場合には、ＲＩＰ後の画像を表示し、その内容を含めてテキストログとして出力することをコンピュータに実行させることを特徴とするので、広告原稿のどの部分に不具合が含まれているか瞬時に判断することが可能になり、原稿の修正も容易になる。
【００５６】
請求項６載のレイアウトチェックプログラムによれば、請求項２記載のレイアウトチェックプログラムにおいて、保存形式およびバージョン検出は、レイアウトデータの保存形式および制作ソフトのサブバージョンの検出を行い、レイアウトデータ保存時の保存バージョンおよびＰｏｓｔＳｃｒｉｐｔＬｅｖｅｌ  の検出テキストログとして出力することをコンピュータに実行させることを特徴とするので、広告原稿のどの部分に不具合が含まれているか瞬時に判断することが可能になり、原稿の修正も容易になる。
【００５７】
請求項７記載のレイアウトチェックプログラムによれば、請求項２記載のレイアウトチェックプログラムにおいて、画像使用状況検出は、レイアウトファイル上の配置データのリンク状況および更新状況を検出し、レイアウトファイル上の配置データが論理的に貼り込まれているのか、またはレイアウトファイル内に埋め込まれているかを検出することをコンピュータに実行させることを特徴とするので、広告原稿のどの部分に不具合が含まれているか瞬時に判断することが可能になり、原稿の修正も容易になる。
【００５８】
請求項８記載のレイアウトチェックプログラムによれば、請求項２記載のレイアウトチェックプログラムにおいて、グレースケール以外の画像検出は、モノクロ紙面のレイアウトの場合、レイアウトファイル上に配置された、または埋め込まれた画像データがグレースケール以外である画像を検出し、グレースケール以外の画像が存在する場合、ＲＩＰ後の画像上にその位置を指示し、テキストログとして出力することをコンピュータに実行させることを特徴とするので、広告原稿のどの部分に不具合が含まれているか瞬時に判断することが可能になり、原稿の修正も容易になる。
【００５９】
請求項９記載のレイアウトチェックプログラムによれば、請求項２記載のレイアウトチェックプログラムにおいて、画像のトリミングは、レイアウトファイル上のトリミングされている画像データの縦横サイズの検出を行い、設定パラメータの縦横サイズ範囲を超えている画像が存在する場合、ＲＩＰ後の画像上にその位置を指示し、テキストログとして出力することをコンピュータに実行させることを特徴とするので、広告原稿のどの部分に不具合が含まれているか瞬時に判断することが可能になり、原稿の修正も容易になる。
【００６０】
請求項１０記載のレイアウトチェックプログラムによれば、請求項２記載のレイアウトチェックプログラムにおいて、使用色検出は、レイアウトファイル上の各オブジェクトに対し、色の使用状況を検出し、カスタムカラー、スポットカラー、およびＲＧＢカラーのうち少なくとも１つがレイアウトデータ内に存在するかを検出し、仕様と整合性が無い指定が存在した場合、ＲＩＰ後の画像上にその位置を指示し、テキストログを出力することをコンピュータに実行させることを特徴とするので、広告原稿のどの部分に不具合が含まれているか瞬時に判断することが可能になり、原稿の修正も容易になる。
【００６１】
請求項１１記載のレイアウトチェックプログラムによれば、請求項２記載のレイアウトチェックプログラムにおいて、不可視オブジェクトおよびロック検出は、レイアウトソフトのレイヤーパレットのロックおよび非表示の設定検出を行い、違法設定が存在した場合、テキストログとして出力することをコンピュータに実行させることを特徴とするので、広告原稿のどの部分に不具合が含まれているか瞬時に判断することが可能になり、原稿の修正も容易になる。
【００６２】
請求項１２記載のレイアウトチェックプログラムによれば、請求項２記載のレイアウトチェックプログラムにおいて、不要オブジェクト検出は、レイアウトファイル外に不要なオブジェクトが存在するかを検出し、不要オブジェクトが存在した場合、ＲＩＰ後の画像にその位置を指示し、テキストログを出力することをコンピュータに実行させることを特徴とするので、広告原稿のどの部分に不具合が含まれているか瞬時に判断することが可能になり、原稿の修正も容易になる。
【００６３】
請求項１３記載のレイアウトチェックプログラムによれば、請求項２記載のレイアウトチェックプログラムにおいて、孤立点検出は、レイアウトファイル上の孤立点の有無を検出し、孤立点を検出した場合、ＲＩＰ後の画像上にその位置を指示し、テキストログを出力することをコンピュータに実行させることを特徴とするので、広告原稿のどの部分に不具合が含まれているか瞬時に判断することが可能になり、原稿の修正も容易になる。
【００６４】
請求項１４記載のレイアウトチェックプログラムによれば、請求項２記載のレイアウトチェックプログラムにおいて、濃度指定検出は、指定した濃度を超える図形を検出し、面積比を検出し、指定パラメータ以上の濃度が存在した場合、ＲＩＰ後の画像上にその位置を指示し、面積比をテキストログとして出力することをコンピュータに実行させることを特徴とするので、広告原稿のどの部分に不具合が含まれているか瞬時に判断することが可能になり、原稿の修正も容易になる。
【００６５】
請求項１５記載のレイアウトチェックプログラムによれば、請求項２記載のレイアウトチェックプログラムにおいて、パスの解像度検出は、パスの解像度より低い解像度指定を受けたオブジェクトを検出し、違法解像度のオブジェクトが存在した場合、ＲＩＰ後の画像上にその位置を表示し、テキストログとして出力することをコンピュータに実行させることを特徴とするので、広告原稿のどの部分に不具合が含まれているか瞬時に判断することが可能になり、原稿の修正も容易になる。
【００６６】
請求項１６記載のレイアウトチェックプログラムによれば、請求項２記載のレイアウトチェックプログラムにおいて、レイアウトサイズ検出は、レイアウトデータのレイアウトサイズを検出し、ログファイルに出力することをコンピュータに実行させることを特徴とするので、広告原稿のどの部分に不具合が含まれているか瞬時に判断することが可能になり、原稿の修正も容易になる。
【００６７】
請求項１７記載のレイアウトチェックプログラムによれば、請求項２記載のレイアウトチェックプログラムにおいて、ＢｏｕｎｄｉｎｇＢｏｘ  関連項目は、ドローソフトで枠罫を作成する際、罫線の中心を通過する、実際のサイズと異なる線をテキストログとして出力することをコンピュータに実行させることを特徴とするので、広告原稿のどの部分に不具合が含まれているか瞬時に判断することが可能になり、原稿の修正も容易になる。
【００６８】
請求項１８記載のレイアウトチェックプログラムによれば、請求項２記載のレイアウトチェックプログラムにおいて、墨ノセ検出は、オーバープリント指定個所の検出をし、平アミの墨ノセ文字のヌキ、および平アミ上に存在する他の平アミに対するノセ指示の有無を検出し、オーバープリント指定個所が存在した場合、ＲＩＰ後の画像にその位置を指示し、テキストログを出力することをコンピュータに実行させることを特徴とするので、広告原稿のどの部分に不具合が含まれているか瞬時に判断することが可能になり、原稿の修正も容易になる。
【００６９】
請求項１９記載のレイアウトチェックプログラムによれば、請求項２記載のレイアウトチェックプログラムにおいて、ファイル名およびフォルダ名検出は、２Ｂｙｔｅコードや特殊記号が使用されている、ファイル名およびフォルダ名を検出し、規定違反の場合、テキストログとして出力することをコンピュータに実行させることを特徴とするので、広告原稿のどの部分に不具合が含まれているか瞬時に判断することが可能になり、原稿の修正も容易になる。
【００７０】
請求項２０記載の記録媒体によれば、請求項１から１９のいずれか１項に記載のレイアウトチェックプログラムをコンピュータに実行させることを特徴とするので、広告原稿のどの部分に不具合が含まれているか瞬時に判断することが可能になり、原稿の修正も容易になる。また、レイアウトチェックを正常に受けた原稿は、どの新聞社の紙面制作システムに取りこまれても問題なく処理が可能な原稿と判断でき、各新聞社に複数の広告原稿を作成する必要がなくなる。新聞社側はこのチェックを受けた原稿を受け取ることによって、その後の社内ＲＩＰ処理で障害を回避することができる。
【図面の簡単な説明】
【図１】本発明の実施形態であるレイアウトチェックプログラムの処理手順を示すフロー図である。
【図１】
2004341568.tif 000003